(57)【特許請求の範囲】
【請求項１】
底部と、該底部の相対する一方の土手部にヒンジ連結され、且つ、箱型に組み立てられた状態から最初に底部方向に倒される相対する一方の側壁と、前記底部の相対するもう一方の土手部にヒンジ連結され、且つ、前記相対する一方の側壁に次いで後から底部方向に倒される相対するもう一方の側壁とを有する折り畳みコンテナーにおいて、収容物品情報が記載されたラベルの貼着面が、前記後から底部方向に倒されるもう一方の側壁を構成する下端水平リブから上方に位置する板部を、該板部の適当な高さに亘たって外側に向かって膨出させることにより形成され側壁側貼着部と、前記相対するもう一方の側壁がヒンジ連結された前記底部を構成する土手部の外面で、且つ、前記側壁側貼着部の下方に位置する前記底部を構成する土手部の外面と略面一に形成された底部側貼着部とから構成されており、且つ、折り畳みコンテナーが箱型に組み立てられた際には、前記側壁側貼着部が、前記底部を構成する土手部の外面と略面一に形成されているとともに、折り畳みコンテナーが箱型に組み立てられた状態において、前記ラベルが、前記ラベル貼着面を構成する前記底部側貼着部と前記側壁側貼着部とに跨がって貼着されるように構成されていることを特徴とする折り畳みコンテナー。
【発明の詳細な説明】
【技術分野】
【０００１】
本発明は、底部と、底部の相対する一方の土手部にヒンジ連結された相対する一方の側壁と、底部の相対するもう一方の土手部にヒンジ連結された相対するもう一方の側壁とから構成されており、箱型に組み立てられた状態から、相対する一方の側壁を底部に重なるように倒し、次いで、相対するもう一方の側壁を、同じく、底部方向に倒すことにより折り畳むことが可能な折り畳みコンテナーに関するものである。
【背景技術】
【０００２】
従来、箱型に組み立てられた折り畳みコンテナーに収容される物品の物品名や数量や搬送先等の種々の情報を含むバーコード等の収容物品情報が記載されたラベルを、側壁に貼着するように構成された折り畳みコンテナーが、特許文献１に開示されている。
【特許文献１】特開２００４−１３１１３９号公報
【発明の開示】
【発明が解決しようとする課題】
【０００３】
上述した折り畳みコンテナーにおいては、ラベルの貼着面が、側壁或いは底部側面の何れか一方にしかないために、貼着面に貼着されるラベルの大きさが制限されるという問題があった。特に、側壁は横長に形成されるために、側壁に、縦長のラベルを貼着することが困難であるという問題があった。
【０００４】
また、側壁面は、底部側面より、内側に引っ込んでいるので、底部側面にラベルの下部を貼着した場合には、ラベルの上部は、側壁面より離れているので、ラベルが折れ曲がり、ラベルの収容物品情報の読み取りができなかったり、ラベルが剥がれ易い等という問題があった。
【０００５】
更に、側壁にラベルが貼着されている場合には、折り畳みコンテナーが折り畳まれたラベルが貼着された側壁の上に、他の側壁が重ねられた際には、ラベルが隠れてしまい、剥がす必要があるラベルが残ったままになるという問題があった。
【０００６】
更になお、上述した折り畳みコンテナーにおいては、側壁の強度や剛性を増加するために、側壁に、多数の縦リブや横リブが形成されていたり、箱型に組み立てられた折り畳みコンテナーに通気性を持たせるために、或いは、折り畳みコンテナーの軽量化のために、側壁に、多数の透孔が穿設されているために、側壁のラベル貼着面積が少なく、従って、側壁に貼着されるラベルの大きさが制限されるという問題があった。また、側壁は、通常、横長に形成されており、高さが低いために、側壁に貼着されるラベルの高さが制限されるという問題があった。
【０００７】
本発明の目的は、上述した従来の折り畳みコンテナーが有する課題を解決することにある。
【課題を解決するための手段】
【０００８】
本発明は、上述した目的を達成するために、底部と、該底部の相対する一方の土手部にヒンジ連結され、且つ、箱型に組み立てられた状態から最初に底部方向に倒される相対する一方の側壁と、前記底部の相対するもう一方の土手部にヒンジ連結され、且つ、前記相対する一方の側壁に次いで後から底部方向に倒される相対するもう一方の側壁とを有する折り畳みコンテナーにおいて、収容物品情報が記載されたラベルの貼着面が、前記後から底部方向に倒されるもう一方の側壁を構成する下端水平リブから上方に位置する板部を、該板部の適当な高さに亘たって外側に向かって膨出させることにより形成され側壁側貼着部と、前記相対するもう一方の側壁がヒンジ連結された前記底部を構成する土手部の外面で、且つ、前記側壁側貼着部の下方に位置する前記底部を構成する土手部の外面と略面一に形成された底部側貼着部とから構成されており、且つ、折り畳みコンテナーが箱型に組み立てられた際には、前記側壁側貼着部が、前記底部を構成する土手部の外面と略面一に形成されているとともに、折り畳みコンテナーが箱型に組み立てられた状態において、前記ラベルを、前記ラベル貼着面を構成する前記底部側貼着部と前記側壁側貼着部とに跨がって貼着するようにしたものである。
【発明の効果】
【０００９】
収容物情報保持部を、側壁に形成された側壁側貼着部と、側壁側貼着部に対応して、側壁がヒンジ連結されている底部の土手部に形成された底部側貼着部とにより構成するとともに、側壁側貼着部と底部側貼着部とを、略面一に形成したので、収容物品情報が記載されたラベルの貼着面積を大きくすることができる。特に、貼着面積の高さを高くすることができるので、縦長のラベルを貼着することができる。
【００１０】
箱型に組み立てられた状態から、後から底部方向に倒される側壁に、側壁側貼着部を形成するとともに、底部の高さの高い方の土手部に、底部側貼着部を形成したので、収容物品情報が記載されたラベルの貼着面積をより大きくすることができる。
【００１１】
側壁側貼着部と底部側貼着部とに跨がって、収容物品情報が記載されたラベルを貼着するようにしたので、箱型に組み立てられた折り畳みコンテナーの折り畳み作業の際に、ラベルが切り裂かれたり、ラベルが剥がれたりすることになり、従って、作業者が、容易に、ラベルの異常を認識し、ラベルの剥離作業を行うことができるので、ラベルの剥離が行われないというようなトラブルの発生を防止することができる。
【実施例】
【００１２】
以下に、本発明の実施例について説明するが、本発明の趣旨を越えない限り、何ら、本実施例に限定されるものではない。
【００１３】
先ず最初に、図１〜図３を用いて、本発明の折り畳みコンテナーの全体構成について説明する。
【００１４】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、短辺側土手部１ｂの高さは、長辺側土手部１ａの高さより、高く形成されている。
【００１５】
２は、長側壁であり、長側壁２は、高さの低い長辺側土手部１ａに、公知の適当なヒンジ部材を介してヒンジ連結されており、また、３は、短側壁であり、短側壁３は、高さの高い短辺側土手部１ｂに、公知の適当なヒンジ部材を介してヒンジ連結されている。
【００１６】
図１に示されている箱型に組み立てられた状態から、先ず最初に、長側壁２を底部１方向に倒して、図２に示されているように、長側壁２を底部１の上に重ね、次いで、短側壁３を底部１方向に倒して、先に倒され底部１に重ねられている長側壁２の上に、短側壁３を重ねることにより、図３に示されているように、箱型に組み立てられた折り畳みコンテナーを折り畳むことができるように構成されている。
【００１７】
短側壁３は、横長の略長方形状の略平板状の板部３ａを有しており、板部３ａの上縁部には、板部３ａの外面（箱型に組み立てられた折り畳みコンテナーの外側に位置する面）３ａ１に略垂直な上端水平リブ３ｂが形成されており、また、板部３ａの下縁部には、板部３ａの外面３ａ１に略垂直な下端水平リブ３ｃが形成されており、更に、上端水平リブ３ｂの下方付近に位置する板部３ａの外面３ａ１には、板部３ａの外面３ａ１に略垂直で、且つ、上端水平リブ３ｂに略平行な上部水平リブ３ｄが形成されている。更にまた、短側壁３の外面３ａ１には、上端水平リブ３ｂと下端水平リブ３ｃを連結するとともに、板部３ａの外面３ａ１に略垂直な垂直リブ３ｅが、適当数、形成されており、更に、短側壁３の外面３ａ１には、隣り合う上端水平リブ３ｂと上部水平リブ３ｄを連結する垂直連結リブ３ｆや、隣り合う垂直リブ３ｅを連結する水平連結リブ３ｇが、適当数、形成されている。
【００１８】
Ｌ１は、略垂直な平面として形成された平板状の側壁側貼着部であり、側壁側貼着部Ｌ１は、短側壁３を構成する下端水平リブ３ｃから上方に延在する板部３ａを、板部３ａの適当な高さに亘たって外側に向かって膨出させることにより形成されており、且つ、側壁側貼着部Ｌ１は、底部１を構成する短辺側土手部１ｂの略垂直な外面（箱型に組み立てられた折り畳みコンテナーの外側に位置する面）１ｂ１と略面一に形成されている。
【００１９】
上述した短側壁３に形成された側壁側貼着部Ｌ１と、側壁側貼着部Ｌ１と略面一で、且つ、側壁側貼着部Ｌ１の下方に位置する底部１を構成する短辺側土手部１ｂの外面１ｂ１部分（以下、底部側貼着部という。）Ｌ２とにより、収容物品情報保持部Ｌが形成されている。
【００２０】
上述したように、短側壁３を構成する下端水平リブ３ｃから上方に延在する板部３ａに形成された側壁側貼着部Ｌ１と、側壁側貼着部Ｌ１の下方に位置するとともに、側壁側貼着部Ｌ１と略面一な底部側貼着部Ｌ２とにより収容物品情報保持部Ｌを構成したので、短側壁３にのみに、ラベル貼着部を形成した従来の折り畳みコンテナーに較べて、ラベルの大きさを大きくすることができるとともに、高さの高い縦長のラベルに対応することができる。
【００２１】
上述したように、短側壁３を構成する下端水平リブ３ｃから上方に延在する板部３ａを、板部３ａの適当な高さに亘たって外側に向かって膨出させて、側壁側貼着部Ｌ１を形成することにより、短側壁３には、図５に示されているように、側壁側貼着部Ｌ１と下端水平リブ３ｃと相対する垂直側部４と天部５とにより形成されているとともに、板部３ａの内面（箱型に組み立てられた折り畳みコンテナーの内側に位置する面）３ａ２が開放された凹部Ｃが形成されることになる。
【００２２】
短側壁３を構成する下端水平リブ３ｃから上方に延在する板部３ａを、板部３ａの適当な高さに亘たって外側に向かって膨出させることにより、上述したように、短側壁３の板部３ａに凹部Ｃが形成されることになるが、図６に示されているように、側壁側貼着部Ｌ１が位置する部分を、側壁側貼着部Ｌ１と、相対する垂直側部４と、天部５と、凹部Ｃを閉鎖するように、板部３ａを下方に延在することにより形成された内部壁６とにより、板部３ａに対して垂直な断面形状が、下方が開放された略逆Ｕ字状の２重壁構造部分Ｄに形成することにより、板部３ａの内面に凹部Ｃが形成されないように構成することもできる。このように、側壁側貼着部Ｌ１が位置する部分に略逆Ｕ字状の２重壁構造部分Ｄを形成することにより、箱型に組み立てられた折り畳みコンテナーに収容された物品が、凹部Ｃに入り込むようなことを防止することができる。
【００２３】
収容物品情報が記載されたラベルＰは、短側壁３に形成された側壁側貼着部Ｌ１と底部１の短辺側土手部１ｂに形成された底部側貼着部Ｌ２とに跨がって貼着されることになる。このように、側壁側貼着部Ｌ１と底部側貼着部Ｌ２とから形成される収容物品情報保持部Ｌに貼着されたラベルＰの使用例の１つは、ラベルＰに記載或いは記憶された収容物品情報に基づいて、作業者或いは自動機が、箱型に組み立てられた折り畳みコンテナーに物品を収容することであり、このような折り畳みコンテナーへの物品収容作業が終了した後は、ラベルＰを剥離することになる。ラベルＰが貼着されたままであると、折り畳みコンテナーの再使用の際に、前回と同じ物品が、折り畳みコンテナーに収容される等のトラブルが発生することになる。
【００２４】
上述したようなラベル剥離作業は、例えば、空になった折り畳みコンテナーの折り畳み作業の際に行われるが、従来の折り畳みコンテナーのように、側壁のみに、ラベルが貼着されており、且つ、ラベル自体が損傷されていない場合には、作業者が、ラベルを剥離しないというトラブルが発生する場合がある。
【００２５】
しかしながら、本願発明においては、上述したように、ラベルＰが、短側壁３に形成された側壁側貼着部Ｌ１と底部１の短辺側土手部１ｂに形成された底部側貼着部Ｌ２とに跨がって貼着されているので、短側壁３を、底部１方向に倒した際には、図３に示されているように、ラベルＰが切り裂かれ２分されたり、或いは、ラベルＰが切り裂かれない場合でも、側壁側貼着部Ｌ１に貼着されていたラベルＰ部分が、側壁側貼着部Ｌ１から剥がれて、剥がれた部分が、底部１の短辺側土手部１ｂから上方に飛び出ていたり、底部側貼着部Ｌ２に貼着されていたラベルＰ部分が、底部側貼着部Ｌ２から剥がれて、剥がれた部分が、底部１の短辺側土手部１ｂから側方に飛び出ていたりすることになる。従って、作業者は、容易に、ラベルＰの異常を認識することができるので、ラベルの剥離作業が行われないというようなトラブルの発生を防止することができる。
【００２６】
上述したように、ラベルＰを、短側壁３に形成された側壁側貼着部Ｌ１と底部１の短辺側土手部１ｂに形成された底部側貼着部Ｌ２とに跨がって貼着することにより、箱型に組み立てられた折り畳みコンテナーの折り畳み作業の際に、ラベルＰが損傷したり、剥離することになるので、作業者が、容易に、ラベルＰの異常を認識することができ、従って、ラベルの剥離作業を確実に行うことができる。
【００２８】
また、折り畳みコンテナーの大きさや色や所有者等の折り畳みコンテナー自体に関する情報を記載或いは記憶したラベルやチップと、上述した収容物品に関する情報を記載或いは記憶したラベルやチップとは、それぞれ、別個に、折り畳みコンテナーに貼着されることになるが、折り畳みコンテナー自体に関する情報を記載或いは記憶したラベルやチップは、取り外す必要がないので、例えば、略逆Ｕ字状の２重壁構造部分Ｄ内に設置することができるが、収容物品に関する情報を記載或いは記憶したラベルやチップは、上述したように、取り外す必要があるので、収容物品に関する情報を記載或いは記憶したラベルやチップは、上述した収容物品情報保持部Ｌに貼着することが好ましい。
【図面の簡単な説明】
【００３０】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの部分拡大斜視図である。
【図５】図５は、本発明の折り畳みコンテナーの収容物品情報保持部を含む部分の垂直側断面図である。
【図６】図６は、本発明の別の実施例の折り畳みコンテナーの収容物品情報保持部を含む部分の垂直側断面図である。
【符号の説明】
【００３１】
Ｌ・・・・・・・・・・・・・・・収容物品情報保持部
Ｌ１・・・・・・・・・・・・・・側壁側貼着部
Ｌ２・・・・・・・・・・・・・・底部側貼着部
Ｐ・・・・・・・・・・・・・・・ラベル
１・・・・・・・・・・・・・・・底部
１ａ・・・・・・・・・・・・・・長辺側土手部
１ｂ・・・・・・・・・・・・・・短辺側土手部
２・・・・・・・・・・・・・・・長側壁
３・・・・・・・・・・・・・・・短側壁
【図１】
0004755858.tif 000002
【図２】
0004755858.tif 000003
【図３】
0004755858.tif 000004
【図４】
0004755858.tif 000005
【図５】
0004755858.tif 000006
【図６】
0004755858.tif 000007